(57)【特許請求の範囲】
【請求項１】
身体に対して螺旋状に巻回される基材と、
螺旋状に巻回された前記基材の重なり部分を係止する係止部材と、を備え、
前記基材は、伸縮可能な弾性体により構成される伸縮層と、身体に粘着可能な粘着層との積層構造を有し、
前記係止部材は、雌面ファスナと前記雌面ファスナに係止する雄面ファスナとを備え、
前記雌面ファスナは、前記伸縮層における身体側とは反対側の外面に積層されていることを特徴とするサポーター。
【請求項２】
身体に対して螺旋状に巻回される基材と、
螺旋状に巻回された前記基材の重なり部分を係止する係止部材と、を備え、
前記基材は、伸縮可能な弾性体により構成される伸縮層と、身体に粘着可能な粘着層との積層構造を有し、
前記基材は、前記螺旋状の巻回が開始される第１端部と、前記螺旋状の巻回が終了される第２端部と、前記第１端部と前記第２端部との間に位置する本体部と、を有し、
前記本体部は、前記螺旋状に巻回される際の進行方向の前方に配置される第１側部と、前記進行方向の後方に配置される第２側部と、を有し、
前記第１端部は、前記本体部から離れるにつれて先細な先細り形状を有し、
前記第１端部の先端は、前記第２側部よりも前記第１側部に偏った位置に形成されてなり、
前記係止部材は、面ファスナ、スナップボタン、及びカギホックの少なくとも一種であることを特徴とするサポーター。
【請求項３】
前記第２端部は、前記本体部から離れるにつれて先細な先細り形状を有し、前記第２端部の先端は、前記第１側部よりも前記第２側部に偏った位置に形成されてなる請求項２に記載のサポーター。
【請求項４】
前記伸縮層は、非繊維層と繊維層とを備え、前記繊維層に前記粘着層が積層されている請求項１から請求項３のいずれか一項に記載のサポーター。
【請求項５】
前記伸縮層は、ゴム系材料の発泡体により構成される非繊維層を備えている請求項１から請求項４のいずれか一項に記載のサポーター。
【発明の詳細な説明】
【技術分野】
【０００１】
本発明は、身体に装着されるサポーターに関する。
【背景技術】
【０００２】
身体に装着されるサポーターとしては、例えば、伸縮性を有する生地を筒状に形成した膝用サポーターが知られている（特許文献１参照）。特許文献１のサポーターは、伸縮性を有する生地に樹脂を含浸させた樹脂含浸部を有し、この樹脂含浸部が膝蓋骨の周囲に当接される。サポーターの樹脂含浸部は、他の部位に比して伸縮性が低いため、樹脂含浸部によって膝関節の動きがサポートされる。
【先行技術文献】
【特許文献】
【０００３】
【特許文献１】特開２００３−０５２７２７号公報
【発明の概要】
【発明が解決しようとする課題】
【０００４】
特許文献１のサポーターでは、筒状部分の内径が身体の部位に適合していない場合、所望の締付力が得られ難く、身体の所定位置からサポーターがずれ易くなる。
本発明は、こうした実情に鑑みてなされたものであり、その目的は、身体に対する所望の締付力が容易に得られるとともに、適切な装着状態が維持され易いサポーターを提供することにある。
【課題を解決するための手段】
【０００５】
上記課題を解決するサポーターは、身体に対して螺旋状に巻回される基材と、螺旋状に巻回された前記基材の重なり部分を係止する係止部材と、を備え、前記基材は、伸縮可能な弾性体により構成される伸縮層と、身体に粘着可能な粘着層との積層構造を有し、前記係止部材は、雌面ファスナと前記雌面ファスナに係止する雄面ファスナとを備え、前記雌面ファスナは、前記伸縮層における身体側とは反対側の外面に積層されている。
【０００６】
この構成によれば、サポーターの基材は、伸縮可能な弾性体により構成される伸縮層と身体に粘着可能な粘着層との積層構造を有しているため、基材を身体に螺旋状に巻回する際に、基材を身体に仮止めしながら身体に対する締付力を調整することが可能である。さらに、サポーターを身体に装着した後の基材の位置ずれは、粘着層によって抑制されるとともに、身体に対する基材の締付力は、係止部材によって維持され易くなる。また、身体に装着後のサポーターの外周面に雌面ファスナが露出したとしても、その外周面の感触は、雄面ファスナよりも柔軟な雌面ファスナの感触となる。
【００１０】
上記課題を解決するサポーターは、身体に対して螺旋状に巻回される基材と、螺旋状に巻回された前記基材の重なり部分を係止する係止部材と、を備え、前記基材は、伸縮可能な弾性体により構成される伸縮層と、身体に粘着可能な粘着層との積層構造を有し、前記基材は、前記螺旋状の巻回が開始される第１端部と、前記螺旋状の巻回が終了される第２端部と、前記第１端部と前記第２端部との間に位置する本体部と、を有し、前記本体部は、前記螺旋状に巻回される際の進行方向の前方に配置される第１側部と、前記進行方向の後方に配置される第２側部と、を有し、前記第１端部は、前記本体部から離れるにつれて先細な先細り形状を有し、前記第１端部の先端は、前記第２側部よりも前記第１側部に偏った位置に形成されてなり、前記係止部材は、面ファスナ、スナップボタン、及びカギホックの少なくとも一種である。
【００１１】
この構成によれば、第１端部の先端を本体部で覆うように本体部を巻回させる際に、本体部の皺や弛みの発生が抑制される。これにより、本体部の身体への密着性が確保され易くなる。また、螺旋状に巻回する進行方向に向けて本体部を比較的大きく傾斜させても、第１端部の先端を本体部で覆うことができるため、装着後のサポーターで覆われる部位を広く確保することが可能である。そして、装着後のサポーターにおける第１端部の先端が本体部で覆われることで、第１端部の自由な動きが抑制される。
【００１２】
上記サポーターにおいて、前記第２端部は、前記本体部から離れるにつれて先細な先細り形状を有し、前記第２端部の先端は、前記第１側部よりも前記第２側部に偏った位置に形成されてなることが好ましい。
【００１３】
この構成によれば、螺旋状の巻回の終了の際に、螺旋状の巻回の開始した方向に戻すように第２端部を大きく傾斜しなくても、第２端部の先端付近を本体部に重ね合わせることができる。つまり、第２端部やその付近における皺や弛みの発生を抑制して第２端部の先端付近を本体部に重ね合わせることが可能である。
上記サポーターにおいて、前記伸縮層は、非繊維層と繊維層とを備え、前記繊維層に前記粘着層が積層されていることが好ましい。
この構成によれば、粘着層の一部が、伸縮層の有する繊維層に含浸した状態（粘着層の一部が繊維層を構成する繊維間に浸入した状態）となるように、繊維層に粘着層を積層することができる。これにより、粘着層は伸縮層から剥離し難くなる。
上記サポーターにおいて、前記伸縮層は、ゴム系材料の発泡体により構成される非繊維層を備えていることが好ましい。
この構成によれば、良好な伸縮性を発揮させることが容易である。
【発明の効果】
【００１４】
本発明によれば、身体に対する所望の締付力が容易に得られるとともに、適切な装着状態が維持され易くなる。
【図面の簡単な説明】
【００１５】
【図１】実施形態のサポーターを示す部分平面図である。
【図２】サポーターの積層構造を分解して示す部分側面図である。
【図３】サポーターの使用前の状態を示す概略斜視図である。
【図４】サポーターの使用状態を示す模式図であり、（ａ）は、サポーターの装着開始時を示し、（ｂ）は、サポーターの装着途中段階を示し、（ｃ）は、サポーターの装着状態を示す。
【図５】変更例のサポーターの使用状態を示す模式図であり、（ａ）は、サポーターの装着開始時を示し、（ｂ）は、サポーターの装着途中段階を示し、（ｃ）は、サポーターの装着状態を示す。
【発明を実施するための形態】
【００１６】
以下、サポーターの実施形態について図面を参照して説明する。なお、図面では、説明の便宜上、厚さ等の寸法を誇張して示す場合がある。
図１及び図２に示されるサポーター１１は、身体に対して螺旋状に巻回される基材１２と、螺旋状に巻回された基材１２の重なり部分を係止する係止部材１３とを備えている。
【００１７】
＜基材１２の形状＞
図１に示すように、基材１２は、全体として長細形状（帯状）をなし、長手方向の一端部を構成する第１端部２１と、基材１２の長手方向の他端部を構成する第２端部２２と、第１端部２１と第２端部２２との間に位置する本体部２３とを有している。
【００１８】
第１端部２１及び第２端部２２は、本体部２３から離れるにつれて先細な先細り形状を有している。第１端部２１は、身体に対する螺旋状の巻回が開始される部分（開始端部）であり、第２端部２２は、身体に対する螺旋状の巻回が終了される部分（終了端部）である。
【００１９】
本体部２３は、第１側部２３ａと、第１側部２３ａの反対側の側部である第２側部２３ｂとを有している。第１側部２３ａは、基材１２が身体に螺旋状に巻回される際の進行方向において、前方に配置される部分である。第２側部２３ｂは、基材１２が身体に螺旋状に巻回される際の進行方向において、後方に配置される部分である。
【００２０】
上述した第１端部２１の先端２１ａは、第２側部２３ｂよりも第１側部２３ａに偏った位置に形成されている。また、第２端部２２の先端２２ａは、第１側部２３ａよりも第２側部２３ｂに偏った位置に形成されている。
【００２１】
次に、基材１２の形状についてさらに詳細に説明する。
第１端部２１は、本体部２３側に位置する基端２１ｂと、その基端２１ｂよりも幅の狭い先端２１ａと、第１側部２３ａから延長される第１延長側部２１ｃと、第２側部２３ｂから延長される第２延長側部２１ｄとを有している。第１端部２１の先端２１ａは、第１延長側部２１ｃと第２延長側部２１ｄとに挟まれるとともに本体部２３から最も離れた位置に形成されている。第１端部２１の第１延長側部２１ｃは、第１側部２３ａ及び第２側部２３ｂと略平行に延在している。第１端部２１の第２延長側部２１ｄは、基端２１ｂから先端２１ａに向かうにつれて第１側部２３ａへ接近するように変形した形状を有している。なお、上述したように第１端部２１の先端２１ａを第１側部２３ａに偏った位置に形成するには、第２延長側部２１ｄが第１側部２３ａへ向かって変形する変形量を、第１延長側部２１ｃが第２側部２３ｂへ向かって変形する変形量よりも大きくなるように設定すればよい。
【００２２】
第１端部２１の先端２１ａは、第１側部２３ａの延長線である第１延長線Ｌ１と、本体部２３の幅方向における中心線Ｃとの間に位置することが好ましい。なお、第１延長線Ｌ１と中心線Ｃの間隔寸法Ｘ１は、本体部２３の幅寸法を幅寸法Ｗとした場合、「Ｘ１＝Ｗ／２」で表される。
【００２３】
第２端部２２は、本体部２３側に位置する基端２２ｂと、その基端２２ｂよりも幅の狭い先端２２ａと、第１側部２３ａから延長される第１延長側部２２ｃと、第２側部２３ｂから延長される第２延長側部２２ｄとを有している。第２端部２２の先端２２ａは、第１延長側部２２ｃと第２延長側部２２ｄとに挟まれるとともに本体部２３から最も離れた位置に形成されている。第２端部２２の第２延長側部２２ｄは、第１側部２３ａ及び第２側部２３ｂと略平行に延在している。第２端部２２の第１延長側部２２ｃは、基端２２ｂから先端２２ａに向かうにつれて第２側部２３ｂへ接近するように変形した形状を有している。なお、上述したように第２端部２２の先端２２ａを第２側部２３ｂに偏った位置に形成するには、第１延長側部２２ｃが第２側部２３ｂへ向かって変形する変形量を第２延長側部２２ｄが第１側部２３ａへ向かって変形する変形量よりも大きくなるように設定すればよい。
【００２４】
第２端部２２の先端２２ａは、第２側部２３ｂの延長線である第２延長線Ｌ２と、本体部２３の幅方向における中心線Ｃとの間に位置することが好ましい。なお、第２延長線Ｌ２と中心線Ｃの間隔寸法Ｘ２は、本体部２３の幅寸法を幅寸法Ｗとした場合、「Ｘ２＝Ｗ／２」で表される。
【００２５】
本体部２３の幅寸法Ｗは、例えば２０〜２００ｍｍの範囲に設定される。基材１２の長さ寸法は、本体部２３が身体の部位に二周以上巻回されるように設定されることが好ましく、例えば、本体部２３の幅寸法Ｗの３〜２０倍に設定される。
【００２６】
図１に拡大して示すように、基材１２の本体部２３には、本体部２３の厚さ方向に貫通する複数の貫通孔Ｈが穿設されている。各貫通孔Ｈは、基材１２（本体部２３）の長手方向（中心線Ｃに沿った方向）及び幅方向のいずれの方向に対しても交差する方向に延在している。こうした貫通孔Ｈの形状又は数は、適宜変更することができる。例えば、貫通孔Ｈの形状を本体部２３の幅方向に平行に延在する形状に変更してもよいし、円形状に変更してもよい。
【００２７】
＜基材１２の積層構造＞
図２に示すように、基材１２は、伸縮可能な弾性体により構成される伸縮層３１と、身体に粘着可能な粘着層３２とが積層された積層構造を有する。伸縮層３１は、非繊維層３１ａと繊維層３１ｂとを有する。非繊維層３１ａを構成する材料としては、ゴム系材料、樹脂系材料、又はゴム系材料と樹脂系材料の混合物が挙げられる。ゴム系材料としては、例えば、クロロプレンゴム、及びウレタンゴムが挙げられる。樹脂系材料としては、例えば、ＳＢＳ（スチレン／ブタジエン／スチレンブロックコポリマー）、及びＥＰＤＭ（エチレンプロピレンジエン三元共重合体）が挙げられる。非繊維層３１ａは、発泡体であってもよいし、無発泡体であってもよい。本実施形態の非繊維層３１ａは、ゴム系材料の発泡体から構成されている。
【００２８】
繊維層３１ｂを構成する繊維としては、例えば、ポリアミド系繊維、及びポリオレフィン系繊維が挙げられる。繊維層３１ｂは、織布により構成されてもよいし、不織布により構成されてもよい。
【００２９】
非繊維層３１ａと繊維層３１ｂとは、接着剤や粘着剤の層を介して積層されている。
粘着層３２は、伸縮層３１における繊維層３１ｂに積層されている。粘着層３２は、その一部が繊維層３１ｂに含浸した状態（粘着層３２の一部が繊維層３１ｂを構成する繊維間に浸入した状態）で繊維層３１ｂに積層されている。粘着層３２を構成する材料としては、例えば、ウレタン系エラストマー及びアクリルゴムが挙げられる。
【００３０】
＜係止部材１３＞
図２に示すように、係止部材１３は、雌面ファスナ１３ａとその雌面ファスナ１３ａに係止する雄面ファスナ１３ｂとを有している。
【００３１】
雌面ファスナ１３ａは、伸縮層３１における身体側とは反対側の外面に積層されている。本実施形態の雌面ファスナ１３ａは、基材１２の本体部２３の長手方向に延在している。詳述すると、雌面ファスナ１３ａは、伸縮層３１（基材１２）の外形と同形状の外形を有し、伸縮層３１（基材１２）における身体側とは反対側の面を覆う表面被覆層として構成されている。雌面ファスナ１３ａは、伸縮層３１（基材１２）に接着剤や粘着剤を介して積層される。
【００３２】
雄面ファスナ１３ｂは、基材１２の伸縮層３１よりも身体側に設けられている。本実施形態の雄面ファスナ１３ｂは、図１及び図２に示すように基材１２の第２端部２２における粘着層３２に積層されている。雄面ファスナ１３ｂは、基材１２に縫合されている。このように設けられた雄面ファスナ１３ｂは、粘着層３２の粘着力と縫合による縫合力とにより基材１２に固定されている。
【００３３】
＜サポーター１１の使用例＞
続いて、サポーター１１の使用例を図３〜５を参照して説明する。なお、図３〜５では、本体部２３の貫通孔Ｈについては図示を省略している。
【００３４】
図３に示すように、サポーター１１の使用前には、サポーター１１を身体に装着する準備段階として、第２端部２２を内側にして第１側部２３ａと第２側部２３ｂとを重ね合わせるように巻回することで円柱状の巻回体Ｒを形成することが好ましい。この巻回体Ｒの外周には、第１端部２１が位置している。また、巻回体Ｒにおいて、第１端部２１の第２延長側部２１ｄは、第２側部２３ｂから第１側部２３ａに向けて傾斜している。巻回体Ｒにおいて、第１側部２３ａ及び第２側部２３ｂは、それぞれ同一平面上となるように配置されている。
【００３５】
図４（ａ）に示すように、サポーター１１は、まず第１端部２１を身体Ｂに対して巻回を開始する開始端部として身体Ｂに巻回される。次に、図４（ｂ）に示すように、身体Ｂを周回させた本体部２３によって第１端部２１の先端２１ａを覆うようにして、基材１２を身体Ｂに螺旋状に巻回する。このとき、本体部２３の第２側部２３ｂと第１端部２１の第２延長側部２１ｄとが交わるように、基材１２を身体Ｂに巻回する。
【００３６】
図４（ｂ）には、サポーター１１の基材１２が身体Ｂに螺旋状に巻回される際の進行方向Ｄを矢印で示している。本体部２３の第１側部２３ａは、サポーター１１が身体Ｂに螺旋状に巻回される際の進行方向Ｄの前方に配置され、本体部２３の第２側部２３ｂは、その進行方向Ｄの後方に配置される。
【００３７】
続いて、本体部２３（基材１２）を進行方向Ｄに向けて進行するように身体Ｂに巻回する装着作業を繰り返す。このとき、本体部２３の一部を重ねるように螺旋状に基材１２を巻回することで、身体Ｂの所望の領域が基材１２で覆われる。
【００３８】
図４（ｃ）に示すように、雄面ファスナ１３ｂを雌面ファスナ１３ａに係止することで、第２端部２２は本体部２３に保持（固定）される。これにより、サポーター１１の基材１２の巻回された状態が維持された装着状態となる。
【００３９】
＜サポーター１１の作用＞
次に、サポーター１１の主要な作用を説明する。
サポーター１１の基材１２は、伸縮可能な弾性体により構成される伸縮層３１と身体Ｂに粘着可能な粘着層３２との積層構造を有しているため、基材１２を身体Ｂに螺旋状に巻回する際に、基材１２を身体Ｂに仮止めしながら身体Ｂに対する締付力を調整することが可能である。さらに、サポーター１１を身体Ｂに装着した後の基材１２の位置ずれは、粘着層３２によって抑制されるとともに、身体Ｂに対する基材１２の締付力は、係止部材１３によって維持され易くなる。
【００４０】
ここで、螺旋状に巻回される基材１２を有するサポーター１１では、第１端部２１の形状と第１側部２３ａ及び第２側部２３ｂとの関係が重要である。そこで、第１端部２１の形状と第１側部２３ａ及び第２側部２３ｂとの関係が上述したサポーター１１とは異なる例のサポーターについて、図５（ａ）〜（ｃ）を参照して説明する。
【００４１】
図５（ａ）に示されるサポーター１１１では、第１端部１２１の先端１２１ａが第２側部１２３ｂに偏った位置に形成されている。この場合、図５（ｂ）に示すように、第１端部１２１の先端１２１ａを本体部１２３で覆うように本体部１２３を身体Ｂに一周巻回させ、さらに進行方向Ｄに向けて螺旋状の巻回を行う際に、本体部１２３に皺や弛みが発生し、本体部１２３と身体Ｂとの間に隙間Ｇが生じ易くなる。
【００４２】
詳述すると、サポーター１１１では、第１端部１２１を巻回の開始端部として本体部１２３を身体Ｂに一周巻回させる際に、本体部１２３の第２側部１２３ｂを進行方向Ｄへ向かうように大きく傾斜して配置すると、第１端部１２１の先端１２１ａが露出する。このため、サポーター１１１の装着後に第１端部１２１の先端１２１ａから、第１端部１２１の剥がれ等が生じ易くなる。そこで、図５（ｂ）に示すように、本体部１２３の一周目の巻回において、第２側部１２３ｂの進行方向Ｄへ向けた傾斜を小さくすれば、第１端部１２１の先端１２１ａを本体部１２３で容易に覆うことが可能である。ところが、この場合、図５（ｃ）に示すように、基材１１２で覆われる部位の進行方向Ｄにおける長さが短くなる。また、例えば、第２側部１２３ｂの進行方向Ｄへ向けた傾斜を、本体部１２３の二周目の巻回から大きくすれば、基材１１２で覆われる部位の進行方向Ｄにおける長さを確保することが可能である。ところが、このように本体部１２３の巻回の途中から進行方向Ｄへ向けた傾斜を極端に大きくすると、本体部１２３の第１側部１２３ａ側に皺や弛みが発生し、本体部１２３と身体Ｂとの間に隙間Ｇが生じ易くなる。
【００４３】
以上のように、サポーター１１１の装着状態では、基材１１２の外周面における皺の発生、すなわち身体Ｂへの密着性が低下するおそれがある。また、身体Ｂへの密着性を優先してサポーター１１１を装着した場合、基材１１２で覆われる部位が狭くなり易い。
【００４４】
この点、本実施形態のサポーター１１における第１端部２１の先端２１ａは、第２側部２３ｂよりも第１側部２３ａに偏った位置に形成されている。この構成によれば、図４（ｂ）に示すように、第１端部２１の先端２１ａを本体部２３で覆うように本体部２３を巻回させる際に、本体部２３の皺や弛みの発生が抑制される。これにより、本体部２３の身体Ｂへの密着性が確保され易くなる。また、螺旋状に巻回する進行方向Ｄに向けて本体部２３を比較的大きく傾斜させても、第１端部２１の先端２１ａを本体部２３で覆うことができるため、図４（ｃ）に示すように、装着後のサポーター１１で覆われる部位を広く確保することが可能である。そして、装着後のサポーター１１における第１端部２１の先端２１ａが本体部２３で覆われることで、第１端部２１の自由な動きが抑制される。
【００４５】
本実施形態のサポーター１１における第２端部２２の先端２２ａは、第１側部２３ａよりも第２側部２３ｂに偏った位置に形成されている。この構成によれば、図４（ｃ）に示すように、螺旋状の巻回の終了の際に、螺旋状の巻回の開始した方向に戻すように第２端部２２を大きく傾斜しなくても、第２端部２２の先端２２ａ付近を本体部２３に重ね合わせることができる。つまり、第２端部２２やその付近における皺や弛みの発生を抑制して第２端部２２の先端２２ａ付近を本体部２３に重ね合わせることが可能である。こうした第２端部２２の先端２２ａ付近が本体部２３と係止するように係止部材１３を設けることで、装着後のサポーター１１における第２端部２２の自由な動きが抑制される。
【００４６】
上述した実施形態によって発揮される効果について以下に記載する。
（１）サポーター１１は、身体Ｂに対して螺旋状に巻回される基材１２と、螺旋状に巻回された基材１２の重なり部分を係止する係止部材１３とを備えている。基材１２は、伸縮可能な弾性体により構成される伸縮層３１と身体Ｂに粘着可能な粘着層３２との積層構造を有している。
【００４７】
この構成によれば、基材１２を身体Ｂに螺旋状に巻回する際に、粘着層３２により基材１２を身体Ｂに仮止めしながら身体Ｂに対する締付力を調整することが可能である。これにより、身体Ｂに対する所望の締付力が容易に得られる。また、サポーター１１を身体Ｂに装着した後の基材１２の位置ずれは、粘着層３２によって抑制されるとともに、身体Ｂに対する基材１２の締付力は、係止部材１３によって維持され易くなる。これにより、サポーター１１の適切な装着状態が維持され易くなる。従って、身体Ｂに対する所望の締付力が容易に得られるとともに、適切な装着状態が維持され易くなる。
【００４８】
（２）伸縮層３１は、非繊維層３１ａと繊維層３１ｂとを備えている。粘着層３２は、繊維層３１ｂに積層されている。この場合、粘着層３２の一部が、伸縮層３１の有する繊維層３１ｂに含浸した状態（粘着層３２の一部が繊維層３１ｂを構成する繊維間に浸入した状態）となるように、繊維層３１ｂに粘着層３２を積層することができる。これにより、粘着層３２は伸縮層３１から剥離し難くなる。従って、サポーター１１の耐久性を向上することができる。
【００４９】
（３）伸縮層３１は、ゴム系材料の発泡体により構成される非繊維層３１ａを備えている。これにより、良好な伸縮性を発揮させることが容易となるため、身体Ｂに対する締付力を調整することがさらに容易となる。
【００５０】
（４）係止部材１３は、雌面ファスナ１３ａとその雌面ファスナ１３ａに係止する雄面ファスナ１３ｂとを有している。雌面ファスナ１３ａは、伸縮層３１における身体Ｂ側とは反対側の外面に積層されているため、身体Ｂに装着後のサポーター１１の外周面に雌面ファスナ１３ａが露出したとしても、その外周面の感触は、雄面ファスナ１３ｂよりも柔軟な雌面ファスナ１３ａの感触となる。従って、装着後のサポーター１１の外周面における感触が良好になる。
【００５１】
（５）螺旋状の巻回が開始される第１端部２１における先端２１ａは、螺旋状に巻回される際の進行方向Ｄの前方に配置される第１側部２３ａに偏った位置に形成されている。この場合、本体部２３の身体Ｂへの密着性が確保され易くなるとともに、装着後のサポーター１１で覆われる部位を広く確保することが可能である。従って、サポーター１１の機能を十分に発揮させることができる。また、第１端部２１の自由な動きが抑制されるため、サポーター１１の適切な装着状態がさらに維持され易くなる。
【００５２】
（６）螺旋状の巻回が終了される第２端部２２における先端２２ａは、螺旋状に巻回される際の進行方向Ｄの後方に配置される第２側部２３ｂに偏った位置に形成されている。この場合、第２端部２２の先端２２ａ付近を本体部２３に重ね合わせたとき、第２端部２２やその付近における皺や弛みが発生し難い。こうした第２端部２２の先端２２ａ付近が本体部２３と係止するように係止部材１３を設けることで、装着後のサポーター１１における第２端部２２の自由な動きが抑制される。従って、サポーター１１の機能を十分に発揮させることができるとともに、サポーター１１の適切な装着状態がさらに維持され易くなる。
【００５３】
（７）雌面ファスナ１３ａは、本体部２３の長さ方向に延在するため、この雌面ファスナ１３ａに対して雄面ファスナ１３ｂを係止する位置を微調整することにより、サポーター１１の締付力を容易に微調整することができる。
【００５４】
（８）雄面ファスナ１３ｂは、粘着層３２に積層されるとともに、基材１２に縫合されている。すなわち、雄面ファスナ１３ｂは、粘着層３２の粘着力と縫合による縫合力とにより基材１２に固定されるため、雄面ファスナ１３ｂは、基材１２の変形に追従し易く、基材１２から剥離し難い。
【００５５】
（９）本体部２３は、貫通孔Ｈを有しているため、本体部２３の伸縮性の調整や本体部２３の通気性の確保が容易となる。
（変更例）
上記実施形態を次のように変更して構成してもよい。
【００５６】
・第１端部２１の形状は、前記実施形態の形状に限定されない。例えば、前記実施形態において第１端部２１の第１延長側部２１ｃは、第１側部２３ａから直線状に延在しているが、第１側部２３ａから非直線状に延在するように変更されてもよい。また、第１端部２１の第２延長側部２１ｄは、非直線状に形成されているが、直線状に形成されてもよい。このように第１端部２１を変更した場合であっても、第１端部の先端が、螺旋状に巻回される際の進行方向Ｄの前方に配置される第１側部２３ａに偏った位置に形成されることで、上記（５）欄で述べた効果が得られる。なお、第２端部２２の形状についても、第１端部２１の変更例と同様に変更することができる。すなわち、第２端部２２の先端２２ａは、螺旋状に巻回される際の進行方向Ｄの後方に配置される第２側部２３ｂに偏った位置に形成されることで、上記（６）欄で述べた効果が得られる。
【００５７】
・前記第１端部２１及び第２端部２２は、先細り形状をなしているが、第１端部２１及び第２端部２２の少なくとも一方を先細り形状以外の形状に変更してもよい。
・前記本体部２３は、第１側部２３ａと第２側部２３ｂが略平行となるように形成されているが、第１側部２３ａと第２側部２３ｂが非平行となるように形成されてもよい。また、第１側部２３ａ又は第２側部２３ｂは、非直線状に形成されてもよい。
【００５８】
・前記雌面ファスナ１３ａは、伸縮層３１の身体Ｂとは反対側となる面の全面に設けられているが、部分的に設けられてもよい。但し、雌面ファスナ１３ａは、伸縮層３１における第２端部２２側において本体部２３の長さ方向に沿って設けられることが好ましい。なお、雌面ファスナ１３ａは、複数の雌面ファスナを離間して配置するように変更されてもよい。
【００５９】
・前記雄面ファスナ１３ｂは、粘着層３２に積層されているが、例えば、粘着層３２の一部を省略し、繊維層３１ｂに積層されてもよい。また、雄面ファスナ１３ｂは、例えば、雌面ファスナ１３ａに積層するとともに第２端部２２から突出するように設けることもできる。また、雄面ファスナ１３ｂ等の係止部材を基材１２と別体に構成されてもよい。
【００６０】
・係止部材１３は、雌面ファスナ１３ａ及び雄面ファスナ１３ｂに限定されず、例えば、スナップボタン、カギホック等に変更されてもよい。この場合、係止部材を複数箇所で掛止できるように設けることにより、身体Ｂに対する基材１２の締付力を調整することが可能である。なお、雌面ファスナ１３ａ及び雄面ファスナ１３ｂと、スナップボタン等の他の係止部材とを組み合わせてもよい。
【００６１】
・基材１２は、伸縮層３１の伸縮性が発揮される範囲において、伸縮層３１及び粘着層３２以外の層を備えていてもよい。
・伸縮層３１を構成する非繊維層３１ａ及び繊維層３１ｂのいずれか一方を省略してもよい。
【００６２】
・前記粘着層３２は、前記伸縮層３１の身体Ｂ側となる面の全面に設けられているが、部分的に設けられてもよい。
・前記基材１２の本体部２３は、貫通孔Ｈを有しているが、この貫通孔Ｈは省略されてもよい。また、基材１２の第１端部２１又は第２端部２２に貫通孔Ｈを形成してもよい。
【００６３】
・前記サポーター１１，１１１は、身体Ｂに直接装着されてもよいし、衣服の上から身体Ｂに装着されてもよい。サポーター１１，１１１の適用箇所としては、例えば、足（膝等）、腕（肘等）等が挙げられる。
【符号の説明】
【００６４】
１１，１１１…サポーター、１２，１１２…基材、１３…係止部材、１３ａ…雌面ファスナ、１３ｂ…雄面ファスナ、２１，１２１…第１端部、２１ａ，２２ａ，１２１ａ…先端、２１ｂ，２２ｂ…基端、２１ｃ，２２ｃ…第１延長側部、２１ｄ，２２ｄ…第２延長側部、２２…第２端部、２３，１２３…本体部、２３ａ，１２３ａ…第１側部、２３ｂ，１２３ｂ…第２側部、３１…伸縮層、３１ａ…非繊維層、３１ｂ…繊維層、３２…粘着層、Ｂ…身体、Ｃ…中心線、Ｄ…進行方向、Ｇ…隙間、Ｈ…貫通孔、Ｌ１…第１延長線、Ｌ２…第２延長線、Ｒ…巻回体、Ｘ１，Ｘ２…間隔寸法、Ｗ…幅寸法。
【図１】
0006381348.tif 000002
【図２】
0006381348.tif 000003
【図３】
0006381348.tif 000004
【図４】
0006381348.tif 000005
【図５】
0006381348.tif 000006